(57)【要約】【課題】  利用者のコンテンツ購入にかかる手続を簡素化し、コンテンツの不正利用を防止する。【解決手段】  コンテンツ利用装置が、決済情報に、例えば、ＩＰアドレス等、コンテンツサーバを特定するＩＤを付加して配信し、コンテンツサーバが、コンテンツ利用装置からコンテンツ配信要求を受信したことを契機に、そのカードＩＤを参照してリストされたコンテンツ利用装置であることを認識して該当コンテンツを配信することでコンテンツ配信と決済を連動させる。【選択図】      図２
2006011632.tif 000002
【特許請求の範囲】
【請求項１】
コンテンツ利用装置とはネットワークを介して接続されるコンテンツ提供装置であって、
前記コンテンツ利用装置により、コンテンツ購入に基づく決済情報に付加され送信される、前記コンテンツ利用装置を特定するカード識別情報をリストして記憶する識別情報リスト記憶部と、
前記コンテンツの配信要求を受信したことを契機に、前記カード識別情報リスト記憶部を参照し、前記リストされたコンテンツ利用装置であることを認識して該当コンテンツを配信するコンテンツ配信部と、
を備えたことを特徴とするコンテンツ提供装置。
【請求項２】
決済処理が正常終了したときに前記利用者側装置の記憶装置に割付けられた決済済みフラグの更新要求を発行するフラグ更新要求送信部と、
備えたことを特徴とする請求項１に記載のコンテンツ提供装置。
【請求項３】
コンテンツ提供装置とはネットワークを介して接続されるコンテンツ利用装置であって、
コンテンツ購入に伴い、前記コンテンツ提供装置に対して決済情報に付加して自身を特定するカード識別情報を送信するカード識別情報送信部と、
決済処理が正常終了したことを受けて前記コンテンツ提供装置から発行されるフラグ更新要求に基づきあらかじめ記憶装置に割付けられた特定のフラグを更新し、コンテンツ配信要求の発行に伴い、前記コンテンツ提供装置からその参照要求を受信したときに前記フラグ情報を送信し、コンテンツの配信を受けるコンテンツ受信部と、
を備えたことを特徴とするコンテンツ利用装置。
【請求項４】
コンテンツ利用装置とはネットワークを介して接続されるコンテンツ提供装置におけるコンテンツ配信方法であって、
前記コンテンツ利用装置により、コンテンツ購入に基づく決済情報に付加され送信される、前記コンテンツ利用装置を特定するカード識別情報をリストして記憶するステップと、
前記コンテンツの配信要求を受信したことを契機に、前記カード識別情報リスト記憶部を参照し、前記リストされた利用者側装置であることを認識して該当コンテンツを配信するステップと、
を有することを特徴とするコンテンツ配信方法。
【請求項５】
コンテンツ利用装置とはネットワークを介して接続されるコンテンツ提供装置に用いられるプログラムであって、
前記コンテンツ利用装置により、コンテンツ購入に基づく決済情報に付加され送信される、前記コンテンツ利用装置を特定するカード識別情報をリストして記憶する処理と、
前記コンテンツの配信要求を受信したことを契機に、前記カード識別情報リスト記憶部を参照し、前記リストされたコンテンツ利用装置であることを認識して該当コンテンツを配信する処理と、
をコンピュータに実行させるプログラム。
【発明の詳細な説明】
【技術分野】
【０００１】
本発明は、ネットワーク上での決済情報を元に、決済を完了した特定のデバイスに対しコンテンツを提供する、コンテンツ提供装置、コンテンツ利用装置、コンテンツ提供装置におけるコンテンツ配信方法、ならびにプログラムに関する。
【背景技術】
【０００２】
近年、インターネットによるコンピュータネットワークを用いて映画や音楽等のデジタルコンテンツを配信する情報提供サービスが普及してきた。このような情報提供サービスの中で、例えば、電子音楽配信システムにおいては、レコード会社のようなコンテンツプロバイダによって作成されたデジタル音楽コンテンツを所定のサービスプロバイダからインターネット等のコンピュータネットワークを介してオンラインでユーザへ配信するようになされている。
【０００３】
ユーザは、パーソナルコンピュータ等ユーザ機器によって受信したコンテンツをユーザが選択した、例えば、買いきり、あるいは再生可能回数等、あるサービス条件の下で再生し、当該サービス条件の下でコンテンツの利用履歴をユーザログとして記録し、これをコンテンツプロバイダへ送信している。
コンテンツプロバイダは、送信されてきたユーザログに基づいて利用料金を算出し、この利用料金をユーザに通知することで利用料金の決済を行っている（例えば、特許文献１参照）。
【特許文献１】特開２００１−１４７９７０号公報
【発明の開示】
【発明が解決しようとする課題】
【０００４】
しかしながら、上記した従来技術によれば、ユーザ側においてはコンテンツの選択、決済情報の入力等、手続きが煩雑であり、また、コンテンツプロバイダからすれば、決済を済ませることなくコンテンツを取得され、不正に利用される恐れがある。
【０００５】
本発明は上記事情に鑑みてなされたものであり、コンテンツ配信と決済を連動させることによって利用者のコンテンツ購入にかかる手続を簡素化し、決済をコンテンツ配信前に行うことでコンテンツの不正利用を防止する、コンテンツ提供装置、コンテンツ利用装置、コンテンツ提供装置におけるコンテンツ配信方法、ならびにプログラムを提供することを目的とする。
【課題を解決するための手段】
【０００６】
上記した課題を解決するために本発明は、コンテンツ利用装置とはネットワークを介して接続されるコンテンツ提供装置であって、前記コンテンツ利用装置により、コンテンツ購入に基づく決済情報に付加され送信される、前記コンテンツ利用装置を特定するカード識別情報をリストして記憶するカード識別情報リスト記憶部と、前記コンテンツの配信要求を受信したことを契機に、前記カード識別情報リスト記憶部を参照し、前記リストされたコンテンツ利用装置であることを認識して該当コンテンツを配信するコンテンツ配信部と、を備えたことを特徴とする。
【０００７】
また、本発明において、決済処理が正常終了したときに前記利用者側装置の記憶装置に割付けられた決済済みフラグの更新要求を発行するフラグ更新要求送信部と、備えたことを特徴とする。
【０００８】
また、本発明は、コンテンツ提供装置とはネットワークを介して接続されるコンテンツ利用装置であって、コンテンツ購入に伴い、前記コンテンツ提供装置に対して決済情報に付加して自身を特定するカード識別情報を送信するカード識別情報送信部と、決済処理が正常終了したことを受けて前記コンテンツ提供装置から発行されるフラグ更新要求に基づきあらかじめ記憶装置に割付けられた特定のフラグを更新し、コンテンツ配信要求の発行に伴い、前記コンテンツ提供装置からその参照要求を受信したときに前記フラグ情報を送信し、コンテンツの配信を受けるコンテンツ受信部と、を備えたことを特徴とする。
【０００９】
また、本発明は、コンテンツ利用装置とはネットワークを介して接続されるコンテンツ提供装置におけるコンテンツ配信方法であって、前記コンテンツ利用装置により、コンテンツ購入に基づく決済情報に付加され送信される、前記コンテンツ利用装置を特定するカード識別情報をリストして記憶するステップと、前記コンテンツの配信要求を受信したことを契機に、前記カード識別情報リスト記憶部を参照し、前記リストされたコンテンツ利用装置であることを認識して該当コンテンツを配信するステップと、を有することを特徴とする。
【００１０】
また、本発明は、コンテンツ利用装置とはネットワークを介して接続されるコンテンツ提供装置に用いられるプログラムであって、前記コンテンツ利用装置により、コンテンツ購入に基づく決済情報に付加され送信される、前記コンテンツ利用装置を特定するカード識別情報をリストして記憶する処理と、前記コンテンツの配信要求を受信したことを契機に、前記カード識別情報リスト記憶部を参照し、前記リストされたコンテンツ利用装置であることを認識して該当コンテンツを配信する処理と、をコンピュータに実行させることを特徴とする。
【発明の効果】
【００１１】
本発明によれば、コンテンツ利用装置が、決済情報に、例えば、ＩＰアドレス等、コンテンツ利用装置を特定する識別情報を付加して配信し、コンテンツ提供装置が、コンテンツ利用装置からコンテンツ配信要求を受信したことを契機に、そのカード識別情報を参照してリストされた利用者側装置であることを認識して該当コンテンツを配信することでコンテンツ配信と決済を連動させることができ、このことにより、利用者のコンテンツ購入にかかる手続を簡素化して利用者に利便性を与えることができる。また、決済をコンテンツ配信前に行うことでコンテンツの不正利用を防止することもできる。
【００１２】
また、本発明によれば、フラグ更新要求送信部が、決済処理が正常終了したときにコンテンツ利用者装置の記憶装置に割付けられた決済済みフラグの更新要求を発行してコンテンツ利用装置に書き込み、配信要求があったときにこのフラグを参照することで決済処理が完了したことを知り、コンテンツを配信することができる。このことにより、決済をコンテンツ配信前に行うことができ、また、許可されたコンテンツ利用装置に対してのみコンテンツを配信することでコンテンツの不正利用を防止することもできる。
【発明を実施するための最良の形態】
【００１３】
図１は、本発明が実施されるコンテンツ提供システムのシステム構成の一例を示す図である。
ここでは、クレジット決済を前提とするため、インターネット等のコンピュータネットワーク３に、コンテンツプロバイダが設置し管理する、本発明のコンテンツ提供装置が実装されるコンテンツサーバ２と、クレジット会社が設置し管理するクレジットサーバ４、ならびに利用者が所持する、ＩＣカードリーダライタが接続され、あるいは組み込まれたパーソナルコンピュータ等から成る複数のコンテンツ利用装置１が接続されている。
なお、ここでいうコンテンツとは、静止画や動画、音楽、写真、映画、番組の他に地図等も含まれる。
【００１４】
図２は、本発明実施形態にかかわるコンテンツ提供装置の構成の一例を示すブロック図である。
本発明のコンテンツ提供装置は、コンテンツ購入要求受信部２１と、決済関連情報送受信部２２と、決済＋ＩＤ受信部２３と、カードＩＤリスト記憶部２４と、コンテンツ配信部２５と、決済完了通知受信部２６と、ＩＤ照合部２７と、コンテンツＤＢ２８で構成される。
【００１５】
コンテンツ購入要求受信部２１は、利用者側装置１から発行されるコンテンツ購入要求を受信して決済関連情報送受信部２２を起動する。決済関連情報送受信部２２は、要求コンテンツに関係する商品情報や価格、利用者の個人情報等に関係する情報を利用者側装置１との間で交換し、コンテンツ利用装置１からの決済要求に基づき、決済＋ＩＤ受信部２３を起動する。
決済＋ＩＤ受信部２３は、コンテンツ利用装置１から送信される決済情報と利用者を特定する、例えば、ＩＰアドレスやｅＴＲＯＮＩＤ（Entity TRON）等の識別情報（ＩＤ）を受信し、そのＩＤをリストしてカードＩＤリスト記憶部２４に蓄積する。なお、ここでやり取りされる決済情報は、ＥＭＶ（Europay Mastercard VISA）仕様に準拠するものとする。ＥＭＶは、その名に示すクレジット会社３社が策定したスマートカードの相互運用をはかるために策定された共通仕様であり、決済システムにおいて、正確な操作と互換性が確保されるように、カードと端末とアプリケーションに要求される最低限度の機能が示されている。
【００１６】
一方、コンテンツ配信部２５は、コンテンツＤＢ２８に格納されたコンテンツをコンテンツ配信要求のあったコンテンツ利用装置１へ配信する機能を持ち、コンテンツ配信要求を発行したコンテンツ利用装置１がここでは、カードＩＤリスト記憶部２４に保持されたＩＤを持つことが要求される。このため、ＩＤ照合部２７は、カードＩＤリスト記憶部２４にリストされ保持されるカードＩＤリストとの照合を行う。
決済完了通知受信部２６は、クレジットサーバ４から発行される決済完了通知を受信してＩＤ照合部２７を起動する機能を持つ。
【００１７】
図４は、図３に示す本発明実施形態の動作を示す動作シーケンス図である。ここでは、クレレジットサーバ４、コンテンツサーバ２、コンテンツ利用装置１としてのＩＣカードの動作が示されている。
まず、ＩＣカード１からコンテンツサーバ２に対し、コンテンツ購入要求が発行される（Ｓ４１）。コンテンツ購入要求受信部２１でこの要求を受信したコンテンツサーバ２は、決済関連情報送受信部２２により要求を発行したＩＣカード１との間で要求コンテンツに関係する商品情報や決済情報についての交換を行う（Ｓ４２）。続いて、ＩＣカード１からコンテンツサーバ２に対して、ＥＭＶ仕様に従う決済情報と、当該決済情報に付加されるＩＤが送信される（Ｓ４３）。ここで、付加する方法としては、ＩＤを決済情報のヘッダやフッダとして付加、あるいは電子透かし技術によって決済情報に隠蔽して埋め込むことが考えられる。
【００１８】
コンテンツサーバ２は、これを決済＋ＩＤ受信部２３で受信し、ＩＤを切り離してカードＩＤリスト記憶部２４に保持し、リストとして蓄積する（Ｓ４４）。コンテンツサーバ２は、更に、クレジットサーバ４に対し、決済に必要な情報を付加して決済処理を依頼し、クレジットサーバ４から決済完了通知を待つ（Ｓ４５）。
クレジットサーバ４から決済の完了（Ｓ４６）を決済完了通知受信部２６で受信したコンテンツサーバ２は、ＩＤ照合部２７がカードＩＤリスト記憶部２４を参照してＩＤを特定し（Ｓ４７）、決済が済んでいることを確認してコンテンツ配信部２５を起動してコンテンツＤＢ２８に格納された要求コンテンツを配信する（Ｓ４８）。
【００１９】
図３は、本発明の他の実施形態を示すブロック図である。図２に示す実施形態に、更に、フラグ更新要求送信部２９と、コンテンツ配信要求受信部と、フラグ監視部３１が付加されている。ここに示す実施形態は、例えば、ストリーミングコンテンツ等ライブ配信の番組予約等に利用して好適なものであり、その場に居なくてもあらかじめ決済処理が済んでおり、視聴したいときにコンテンツ配信要求を発行することでいつでも視聴が可能である。
フラグ更新要求送信部２９は、クレジットサーバ４で決済処理が正常終了したときにＩＣカード１が持つ記憶装置に割付けられた決済済みフラグの更新要求を発行する機能を持つ。フラグ監視部３１は、ＩＣカード１からのコンテンツ配信要求をコンテンツ配信要求受信部３０で受信したことを契機に、ＩＣカード１が持つ記憶装置を参照する要求を発し、ＩＣカード１からフラグ情報の送信を受けて決済の完了を確認する。
【００２０】
図３に示す実施形態は、決済を５に図３に示す実施形態の動作が動作シーケンス図で示されている。ここでは、決済が完了したことをコンテンツサーバ２にあるカードＩＤリスト記憶部２４ではなく、ＩＣカード１に内蔵された記憶装置に割付けられたフラグ領域に書き込み、コンテンツサーバ２がＩＣカード１からコンテンツ配信要求を受信した後にこのフラグ領域を参照して要求コンテンツを配信する仕組み（フラグメンテーション）を用いている。
【００２１】
具体的に、上記したフラグメンテーションの開始にあたり（Ｓ５１）、コンテンツサーバ２は、クレジットサーバ４から決済完了通知を受信し（Ｓ５２）、これを決済完了通知受信部２６で受信してフラグ更新要求送信部２９を起動する。
フラグ更新要求送信部２９は、ＩＣカード１に対してその旨通知するために、ＩＣカード１が内蔵する記憶装置に割付けられたフラグ領域をＯＮする（Ｓ５３）。なお、ＩＣカード１が持つ記憶領域の中で上記したフラグを書き込む領域は、プロバイダ毎にあらかじめ定義されているものとする。
続いて、コンテンツ提供装置２は、ＩＣカード１からのコンテンツ配信要求を待ち（Ｓ５４）、フラグ監視部３１によるフラグチェック（Ｓ５５）によって決済が完了していることを知り（Ｓ５６）、コンテンツ配信部２５により、コンテンツＤＢ２８に格納された要求コンテンツを配信する（Ｓ５７）。
【００２２】
図６に、ＩＣカードの内部構成の一例が示されている。ここでは、ＩＣカード１は、本発明のコンテンツ利用装置２として実装され、ＣＰＵ６１を核に、ＲＯＭ６２、ＲＡＭ６３、ＥＥＰＲＯＭ６４（不揮発性記憶装置）、Ｓ／Ｐ６６（直並列変換回路）、Ｐ／Ｓ６７（並直列変換回路）が内部バス７２に共通接続される本体チップ、およびＲＦインタフェース７０（非接触ＩＣカードの場合）で構成される。また、ＣＰＵ６１には割り込みロジック６５が接続され、各ブロックには、外部から供給されるリセット６８、クロック６９、そして電源７１のそれぞれが供給される。
ＲＡＭ６３、もしくはＥＥＰＲＯＭ６４には上記したフラグ領域が割当てられ、ＣＰＵ６１は、ＲＯＭ６２に製造段階で記録されたプログラムに基づき上記した動作を実行する。
【００２３】
すなわち、ＣＰＵ６１は、利用者からのコンテンツ購入に伴い、コンテンツサーバ２に対して決済情報に付加して自身を特定するカードＩＤを送信するカード識別情報送信部と、決済処理が正常終了したことを受けてコンテンツサーバ２から発行されるフラグ更新要求に基づきあらかじめＲＡＭ６３もしくはＥＥＰＲＯＭ６４に割付けられた特定のフラグを更新し、コンテンツ配信要求の発行に伴い、コンテンツサーバ２からその参照要求を受信したときにフラグ情報を送信し、コンテンツの配信を受けるコンテンツ受信部として機能する。
なお、カードＩＤは耐タンパ性の高い記憶領域に格納されており、このカードＩＤには、クレジットカード番号ではない他の番号（ワンタイムパスワード、例えばユーザのＩＰアドレスなそ）が利用される。
【００２４】
以上説明のように本発明は、コンテンツ利用装置１が、決済情報に、例えば、ＩＰアドレス等、コンテンツサーバ２を特定するＩＤを付加して配信し、コンテンツサーバ２が、コンテンツ利用装置１からコンテンツ配信要求を受信したことを契機に、そのカードＩＤを参照してリストされたコンテンツ利用者装置１であることを認識して該当コンテンツを配信することでコンテンツ配信と決済を連動させることができ、このことにより、利用者のコンテンツ購入にかかる手続を簡素化して利用者に利便性を与えるものである。また、決済をコンテンツ配信前に行うことでコンテンツの不正利用を防止することもできる。
【００２５】
また、本発明は、決済処理が正常終了したときにコンテンツ利用装置の記憶装置に割付けられた決済済みフラグの更新要求を発行してコンテンツ利用装置１に書き込み、配信要求があったときにこのフラグを参照することで決済処理が完了したことを知り、コンテンツを配信することができる。このことにより、決済をコンテンツ配信前に行うことができ、また、許可されたコンテンツ利用装置１に対してのみコンテンツを配信することでコンテンツの不正利用を防止することもできる。
【００２６】
なお、図２に示す、コンテンツ提供装置を構成する、コンテンツ購入要求受信部２１、決済関連情報送受信部２２、決済＋ＩＤ受信部２３、コンテンツ配信部２５、決済完了通知受信部２６、ＩＤ照合部２７、フラグ更新要求送信部２９、コンテンツ配信要求受信部３０、フラグ監視部３１、ならびにコンテンツ利用装置を構成する、図示せぬカード識別情報送信部と、コンテンツ受信部のそれぞれで実行される手順をコンピュータ読み取り可能な記録媒体に記録し、この記録媒体に記録されたプログラムをコンピュータシステムに読み込ませ、実行することによっても本発明のコンテンツ提供装置、あるいはコンテンツ利用装置を実現することができる。ここでいうコンピュータシステムとは、ＯＳや周辺機器等のハードウェアを含む。
【００２７】
また、「コンピュータシステム」は、ＷＷＷシステムを利用している場合であれば、ホームページ提供環境（あるいは表示環境）も含むものとする。
また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
また、上記プログラムは、前述した機能の一部を実現するためのものであっても良い。さらに、前述した機能をコンピュータシステムにすでに記録されているプログラムとの組合せで実現できるもの、いわゆる差分ファイル（差分プログラム）であっても良い。
【００２８】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００２９】
【図１】本発明が実施されるコンテンツ提供システムのシステム構成の一例を示す図である。
【図２】本発明実施形態にかかわるコンテンツ提供装置の内部構成を示すブロック図である。
【図３】本発明の他の実施形態にかかわるコンテンツ提供装置の内部構成を示すブロック図である。
【図４】本発明実施形態にかかわる動作を説明するために引用した動作シーケンス図である。
【図５】本発明の他の実施形態にかかわる動作を説明するために引用した動作シーケンス図である。
【図６】本発明実施形態にかかわるコンテンツ利用装置の内部構成を示すブロック図である。
【符号の説明】
【００３０】
１…コンテンツ利用装置、２…コンテンツサーバ（コンテンツ提供装置）、３…ネットワーク、４…クレジットサーバ、２１…コンテンツ購入要求受信部、２２…決済関連情報送受信部、２３…決済＋ＩＤ受信部、２４…カードＩＤリスト記憶部、２５…コンテンツ配信部、２６…決済完了通知受信部、２７…ＩＤ照合部、２８…コンテンツＤＢ、２９…フラグ更新要求送信部、３０…コンテンツ配信要求受信部、３１…フラグ監視部
【図１】
2006011632.tif 000003
【図２】
2006011632.tif 000004
【図３】
2006011632.tif 000005
【図４】
2006011632.tif 000006
【図５】
2006011632.tif 000007
【図６】
2006011632.tif 000008